(57)【特許請求の範囲】
【請求項１】
第１感光ドラムと、
前記第１感光ドラムに並列配置された第２感光ドラムと、
前記第１感光ドラムに接触配置された第１現像ローラと、
前記第２感光ドラムに対向配置され、前記第２感光ドラムに接触する第１接触位置と、
前記第２感光ドラムから離間する第１離間位置との間で移動可能である第２現像ローラと、
前記第２現像ローラを前記第１接触位置に配置するカラーモード位置と、前記第２現像ローラを前記第１離間位置に配置するモノクロモード位置とに移動可能に設けられた移動部材と、
所定の一方向に回転し、前記第１現像ローラおよび前記第２現像ローラを回転させるための駆動力を発生させる駆動源と、
前記駆動源に連結され、前記第１現像ローラのみに駆動力を伝達する第１位置と、前記第１現像ローラおよび前記第２現像ローラに駆動力を伝達する第２位置とに変位可能に設けられた第１駆動伝達部と、を備え、
前記移動部材は、前記カラーモード位置から前記モノクロモード位置に移動するときに、前記第１駆動伝達部を前記第２位置から前記第１位置に変位させ、前記モノクロモード位置から前記カラーモード位置に移動するときに、前記第１駆動伝達部を前記第１位置から前記第２位置に変位させ、
前記第１駆動伝達部が前記第１位置にあるときに前記第１駆動伝達部に連結され、前記駆動源からの駆動力を前記第１現像ローラに伝達する第２駆動伝達部と、
前記第１駆動伝達部が前記第２位置にあるときに前記第１駆動伝達部に連結され、前記駆動源からの駆動力を前記第１現像ローラに伝達する第３駆動伝達部と、
前記第１駆動伝達部が前記第２位置にあるときに前記第１駆動伝達部に連結され、前記駆動源からの駆動力を前記第２現像ローラに伝達する第４駆動伝達部と、をさらに備えることを特徴とする、画像形成装置。
【請求項２】
前記第１現像ローラは、前記第１感光ドラムに接触する第２接触位置と、前記第１感光ドラムから離間した第２離間位置との間で移動可能であり、
前記移動部材は、前記第１現像ローラを前記第２離間位置に配置するとともに、前記第２現像ローラを前記第１離間位置に配置する全離間モード位置に移動可能であり、
前記第１駆動伝達部は、前記移動部材が前記全離間モード位置にあるときに、前記第１位置と前記第２位置との間の第３位置に配置されることを特徴とする、請求項１に記載の画像形成装置。
【請求項３】
前記移動部材は、前記第１現像ローラおよび前記第２現像ローラの回転軸線方向一方側に設けられた第１移動部材と、前記第１現像ローラおよび前記第２現像ローラの前記回転軸線方向他方側に設けられた第２移動部材と、を含み、
前記第１駆動伝達部は、前記第１現像ローラおよび前記第２現像ローラの前記回転軸線方向の一方側に設けられ、
前記第１移動部材は、前記第２現像ローラおよび前記第１駆動伝達部を変位させるように構成され、
前記第２移動部材は、前記第２現像ローラのみを変位させるように構成されていることを特徴とする、請求項１または２に記載の画像形成装置。
【請求項４】
前記駆動源からの駆動力が入力され、所定の一方向に回転可能な太陽ギヤをさらに備え、
前記第１駆動伝達部は、前記太陽ギヤ周りに回動可能な遊星ギヤであり、
前記第４駆動伝達部は、前記第１駆動伝達部の前記第１位置から前記第２位置への移動方向において、前記第２駆動伝達部および前記第３駆動伝達部の下流側に配置されていることを特徴とする、請求項１〜３のいずれか一項に記載の画像形成装置。
【請求項５】
第１感光ドラムと、
前記第１感光ドラムに並列配置された第２感光ドラムと、
前記第１感光ドラムに接触配置された第１現像ローラと、
前記第２感光ドラムに対向配置され、前記第２感光ドラムに接触する第１接触位置と、前記第２感光ドラムから離間する第１離間位置との間で移動可能である第２現像ローラと、
前記第２現像ローラを前記第１接触位置に配置するカラーモード位置と、前記第２現像ローラを前記第１離間位置に配置するモノクロモード位置とに移動可能に設けられた移動部材と、
所定の一方向に回転し、前記第１現像ローラおよび前記第２現像ローラを回転させるための駆動力を発生させる駆動源と、
前記駆動源に連結され、前記第１現像ローラのみに駆動力を伝達する第１位置と、前記第１現像ローラおよび前記第２現像ローラに駆動力を伝達する第２位置とに変位可能に設けられた第１駆動伝達部と、を備え、
前記移動部材は、前記カラーモード位置から前記モノクロモード位置に移動するときに、前記第１駆動伝達部を前記第２位置から前記第１位置に変位させ、前記モノクロモード位置から前記カラーモード位置に移動するときに、前記第１駆動伝達部を前記第１位置から前記第２位置に変位させ、
前記第１現像ローラは、前記第１感光ドラムに接触する第２接触位置と、前記第１感光ドラムから離間した第２離間位置との間で移動可能であり、
前記移動部材は、前記第１現像ローラを前記第２離間位置に配置するとともに、前記第２現像ローラを前記第１離間位置に配置する全離間モード位置に移動可能であり、
前記第１駆動伝達部は、前記移動部材が前記全離間モード位置にあるときに、前記第１位置と前記第２位置との間の第３位置に配置されることを特徴とする、画像形成装置。
【請求項６】
前記移動部材は、前記第１現像ローラおよび前記第２現像ローラの回転軸線方向一方側に設けられた第１移動部材と、前記第１現像ローラおよび前記第２現像ローラの前記回転軸線方向他方側に設けられた第２移動部材と、を含み、
前記第１駆動伝達部は、前記第１現像ローラおよび前記第２現像ローラの前記回転軸線方向の一方側に設けられ、
前記第１移動部材は、前記第２現像ローラおよび前記第１駆動伝達部を変位させるように構成され、
前記第２移動部材は、前記第２現像ローラのみを変位させるように構成されていることを特徴とする、請求項５に記載の画像形成装置。
【請求項７】
第１感光ドラムと、
前記第１感光ドラムに並列配置された第２感光ドラムと、
前記第１感光ドラムに接触配置された第１現像ローラと、
前記第２感光ドラムに対向配置され、前記第２感光ドラムに接触する第１接触位置と、前記第２感光ドラムから離間する第１離間位置との間で移動可能である第２現像ローラと、
前記第２現像ローラを前記第１接触位置に配置するカラーモード位置と、前記第２現像ローラを前記第１離間位置に配置するモノクロモード位置とに移動可能に設けられた移動部材と、
所定の一方向に回転し、前記第１現像ローラおよび前記第２現像ローラを回転させるための駆動力を発生させる駆動源と、
前記駆動源に連結され、前記第１現像ローラのみに駆動力を伝達する第１位置と、前記第１現像ローラおよび前記第２現像ローラに駆動力を伝達する第２位置とに変位可能に設けられた第１駆動伝達部と、を備え、
前記移動部材は、前記カラーモード位置から前記モノクロモード位置に移動するときに、前記第１駆動伝達部を前記第２位置から前記第１位置に変位させ、前記モノクロモード位置から前記カラーモード位置に移動するときに、前記第１駆動伝達部を前記第１位置から前記第２位置に変位させ、
前記移動部材は、前記第１現像ローラおよび前記第２現像ローラの回転軸線方向一方側に設けられた第１移動部材と、前記第１現像ローラおよび前記第２現像ローラの前記回転軸線方向他方側に設けられた第２移動部材と、を含み、
前記第１駆動伝達部は、前記第１現像ローラおよび前記第２現像ローラの前記回転軸線方向の一方側に設けられ、
前記第１移動部材は、前記第２現像ローラおよび前記第１駆動伝達部を変位させるように構成され、
前記第２移動部材は、前記第２現像ローラのみを変位させるように構成されていることを特徴とする、画像形成装置。
【請求項８】
前記移動部材は、前記第１感光ドラムおよび第２感光ドラムの並び方向に沿って直線移動可能に設けられていることを特徴とする、請求項１〜７のいずれか一項に記載の画像形成装置。
【請求項９】
前記移動部材は、前記第１駆動伝達部が前記第１位置にあるときに、前記第１駆動伝達部の前記第１位置から前記第２位置への移動方向における下流側への移動を規制する規制部を備えていることを特徴とする、請求項１〜８のいずれか一項に記載の画像形成装置。
【請求項１０】
第１感光ドラムと、
前記第１感光ドラムに並列配置された第２感光ドラムと、
前記第１感光ドラムに接触配置された第１現像ローラと、
前記第２感光ドラムに対向配置され、前記第２感光ドラムに接触する第１接触位置と、前記第２感光ドラムから離間する第１離間位置との間で移動可能である第２現像ローラと、
前記第２現像ローラを前記第１接触位置に配置するカラーモード位置と、前記第２現像ローラを前記第１離間位置に配置するモノクロモード位置とに移動可能に設けられた移動部材と、
所定の一方向に回転し、前記第１現像ローラおよび前記第２現像ローラを回転させるための駆動力を発生させる駆動源と、
前記駆動源に連結され、前記第１現像ローラのみに駆動力を伝達する第１位置と、前記第１現像ローラおよび前記第２現像ローラに駆動力を伝達する第２位置とに変位可能に設けられた第１駆動伝達部と、
前記第１駆動伝達部に連結されるとともに前記移動部材に係合され、前記第１駆動伝達部を前記第１位置に変位させる第１変位位置と、前記第１駆動伝達部を前記第２位置に変位させる第２変位位置と、に変位する変位部材と、を備え、
前記移動部材は、前記カラーモード位置から前記モノクロモード位置への移動に伴い、前記変位部材を前記第１変位位置に変位させることにより、前記第１駆動伝達部を前記第１位置に変位させ、前記モノクロモード位置から前記カラーモード位置への移動に伴い、前記変位部材を前記第２変位位置に変位させることにより、前記第１駆動伝達部を前記第２位置に変位させることを特徴とする、画像形成装置。
【発明の詳細な説明】
【技術分野】
【０００１】
本発明は、カラーレーザプリンタなどの画像形成装置に関する。
【背景技術】
【０００２】
画像形成装置として、ブラック、イエロー、マゼンタおよびシアンの各色に対応して現像ローラおよび感光ドラムが設けられた、タンデム型のカラーレーザプリンタが知られている。
【０００３】
このようなタンデム型のカラーレーザプリンタでは、ブラックの現像ローラおよび感光ドラムのみを駆動させてモノクロ印刷をするモノクロモードと、すべての現像ローラおよび感光ドラムを駆動させてカラー印刷をするカラーモードとに切り替え可能なものが提案されている（例えば、特許文献１参照。）。
【０００４】
この提案に係る画像形成装置では、正逆回転可能なモータと、モータに連結された揺動ギヤとが備えられている。
【０００５】
モータが正方向（または逆方向）に回転されると、揺動ギヤが一方側に揺動して、ブラックの現像器に設けられた現像ギヤに連結される。これにより、画像形成装置がモノクロモードに切り替えられ、モータの駆動力をブラックの現像器のみに伝達することができる。
【０００６】
一方、モータが逆方向（または正方向）に回転されると、揺動ギヤが他方側に揺動して、すべての現像器に設けられた現像ギヤに連結される。これにより、画像形成装置がカラーモードに切り替えられ、モータの駆動力をすべての現像器に伝達することができる。
【先行技術文献】
【特許文献】
【０００７】
【特許文献１】特開２００７−７２０２１号公報
【発明の概要】
【発明が解決しようとする課題】
【０００８】
上記の提案に係る画像形成装置では、モノクロモードおよびカラーモードに切り替えるために、モータを正逆回転させて、揺動ギヤを揺動させる。また、画像形成装置内に設けられている他の駆動源（たとえば、感光ドラムの駆動モータ）は、所定の一方向にのみ回転される。
【０００９】
一方、たとえば、画像形成装置の製造コストを低減しようと、現像器を駆動するためのモータを他の駆動源として兼用することが考えられる。しかしながら、上記の構成では、現像器を駆動するためのモータを他の駆動源として兼用すると、モノクロモードおよびカラーモードに切り替えることができないといった不具合がある。
【００１０】
本発明の目的は、モノクロモードとカラーモードとに切り替え可能な構成において、現像ローラを駆動するための駆動源を他の部材を駆動するための駆動源と兼用することができる、画像形成装置を提供することである。
【課題を解決するための手段】
【００１１】
（１）上記した目的を達成するために、本発明の画像形成装置は、第１感光ドラムと、第１感光ドラムに並列配置された第２感光ドラムと、第１感光ドラムに接触配置された第１現像ローラと、第２感光ドラムに対向配置された第２現像ローラと、第１現像ローラおよび第２現像ローラを回転させるための駆動力を発生させる駆動源とを備える。
【００１２】
第２現像ローラは、第２感光ドラムに接触する第１接触位置と、第２感光ドラムから離間する第１離間位置との間で移動可能に設けられている。
【００１３】
駆動源は、所定の一方向に回転する。駆動源には、第１駆動伝達部が連結されている。第１駆動伝達部は、第１現像ローラのみに駆動力を伝達する第１位置と、第１現像ローラおよび第２現像ローラに駆動力を伝達する第２位置とに変位可能に設けられている。
【００１４】
また、画像形成装置には、第２現像ローラを第１接触位置に配置するカラーモード位置と第２現像ローラを第１離間位置に配置するモノクロモード位置とに移動可能な移動部材が設けられている。移動部材は、カラーモード位置からモノクロモード位置に移動するときに、第１駆動伝達部を第１位置に変位させる。また、移動部材は、モノクロモード位置からカラーモード位置に移動するときに、第１駆動伝達部を第２位置に変位させる。
【００１５】
このような構成によれば、移動部材がモノクロモード位置に移動すると、第１駆動伝達部が第１位置に変位され、駆動源からの駆動力が第１現像ローラのみに伝達される。そして、駆動力が伝達された第１現像ローラが第１感光ドラムに接触されている一方、第２現像ローラが第２感光ドラムから離間する第１離間位置に配置される。
【００１６】
一方、移動部材がカラーモード位置に移動すると、第１駆動伝達部が第２位置に変位され、駆動源からの駆動力が第１現像ローラおよび第２現像ローラに伝達される。そして、第１現像ローラが第１感光ドラムに接触しており、第２現像ローラが第２感光ドラムに接触する第１接触位置に配置されている。
【００１７】
つまり、駆動源を所定の一方向に回転させたまま、移動部材をモノクロモード位置とカラーモード位置との間で移動させれば、第１駆動伝達部を第１位置と第２位置とに移動させることにより、第１現像ローラのみに駆動力を伝達するか、または、第１現像ローラおよび第２現像ローラの両方に駆動力を伝達することができる。
【００１８】
よって、駆動源を正逆回転させる必要がないので、第１現像ローラおよび第２現像ローラを駆動するための駆動源を他の部材を駆動するための駆動源と兼用することができる。
【００１９】
（２）また、移動部材は、第１感光ドラムおよび第２感光ドラムの並び方向に沿って直線移動可能に設けられていてもよい。
【００２０】
このような構成によれば、簡易な構成で移動部材をモノクロモード位置とカラーモード位置との間で確実に移動させることができる。
【００２１】
（３）また、画像形成装置は、第２駆動伝達部、第３駆動伝達部および第４駆動伝達部をさらに備えていてもよい。この場合、第２駆動伝達部は、第１駆動伝達部が第１位置にあるときに第１駆動伝達部に連結され、駆動源からの駆動力を第１現像ローラに伝達する。また、第３駆動伝達部は、第１駆動伝達部が第２位置にあるときに第１駆動伝達部に連結され、駆動源からの駆動力を第１現像ローラに伝達する。また、第４駆動伝達部は、第１駆動伝達部が第２位置にあるときに第１駆動伝達部に連結され、駆動源からの駆動力を第２現像ローラに伝達する。
【００２２】
このような構成によれば、第１駆動伝達部が第１位置にあるときに、第２駆動伝達部に第１駆動伝達部が連結されると、第２駆動伝達部および第１駆動伝達部を介して、駆動源からの駆動力を第１現像ローラに確実に伝達することができる。また、第１駆動伝達部が第２位置にあるときに、第３駆動伝達部および第４駆動伝達部に第１駆動伝達部が連結されると、第１駆動伝達部、第３駆動伝達部および第４駆動伝達部を介して、駆動源からの駆動力を第１現像ローラおよび第２現像ローラに確実に伝達することができる。
【００２３】
（４）また、画像形成装置は、所定の一方向に回転可能であり、駆動源からの駆動力が入力される太陽ギヤをさらに備えていてもよい。この場合、第１駆動伝達部は、太陽ギヤ周りに回動可能な遊星ギヤである。また、第４駆動伝達部は、第１駆動伝達部の第１位置から第２位置への移動方向において、第２駆動伝達部および第３駆動伝達部の下流側に配置されている。
【００２４】
このような構成によれば、第１駆動伝達部が第４駆動伝達部に対してその移動方向の上流側から連結するので、第１駆動伝達部と第４駆動伝達部とを確実に連結させることができる。
【００２５】
（５）また、移動部材は、第１駆動伝達部が第１位置にあるときに、第１駆動伝達部の移動方向下流側への移動を規制する規制部を備えていてもよい。
【００２６】
このような構成によれば、第１駆動伝達部が第１位置にある状態を規制部により維持することができるので、第１駆動伝達部が第１位置にあるときに、第２駆動伝達部と第１駆動伝達部とを確実に連結させることができる。
【００２７】
（６）また、第１現像ローラは、第１感光ドラムに接触する第２接触位置と第１感光ドラムから離間した第２離間位置との間で移動可能であってもよい。この場合、移動部材は、第１現像ローラを第２離間位置に配置するとともに、第２現像ローラを第１離間位置に配置する全離間モード位置に移動可能である。また、第１駆動伝達部は、移動部材が全離間モード位置にあるときに、第１位置と第２位置との間の第３位置に配置される。
【００２８】
このような構成によれば、移動部材を全離間モード位置に移動させて、第１現像ローラおよび第２現像ローラを対応する第１感光ドラムおよび第２感光ドラムから離間させることができる。
【００２９】
（７）また、移動部材は、第１移動部材と第２移動部材とを含む構成であってもよい。この場合、第１移動部材および第１駆動伝達部は、第１現像ローラおよび第２現像ローラの回転軸線方向一方側に設けられる。そして、第１移動部材は、第２現像ローラおよび第１駆動伝達部を変位させるように構成される。また、第２移動部材は、第１現像ローラおよび第２現像ローラの回転軸線方向他方側に設けられ、第２現像ローラのみを変位させるように構成される。
【００３０】
このような構成によれば、第１移動部材により、第２現像ローラおよび第１駆動伝達部を移動させることができる。また、第２移動部材により、第２現像ローラのみを変位させることができる。そして、第１移動部材および第２移動部材を同期して移動させることにより、第２現像ローラを第１接触位置と第１離間位置との間で安定して変位させることができる。
【発明の効果】
【００３１】
本発明の画像形成装置によれば、駆動源を所定の一方向に回転させたまま、移動部材をモノクロモード位置とカラーモード位置との間で移動させれば、第１駆動伝達部を第１位置と第２位置とに移動させることにより、第１現像ローラのみに駆動力を伝達するか、または、第１現像ローラおよび第２現像ローラの両方に駆動力を伝達することができる。
【００３２】
よって、駆動源を正逆回転させる必要がないので、第１現像ローラおよび第２現像ローラを駆動するための駆動源を他の部材を駆動するための駆動源と兼用することができる。
【図面の簡単な説明】
【００３３】
【図１】図１は、本発明の一実施形態に係るカラープリンタの側断面図である。
【図２】図２は、図１におけるドラムユニットの右後側上方から見たときの斜視図である。
【図３】図３は、図２における現像カートリッジおよび感光ドラムを省略した状態を示す右後側上方から見たときの斜視図である。
【図４】図４は、現像側ギヤトレインおよび第１移動部材を説明するためのドラムユニットの左側面図であり、第１移動部材がモノクロモード位置にある状態を示す。
【図５】図５は、現像側ギヤトレインおよび第１移動部材を説明するためのドラムユニットの右側面図であり、第１移動部材がモノクロモード位置にある状態を示す。
【図６】図６は、現像側ギヤトレインおよび第１移動部材を説明するためのドラムユニットの左側面図であり、第１移動部材が全離間モード位置にある状態を示す。
【図７】図７は、現像側ギヤトレインおよび第１移動部材を説明するためのドラムユニットの右側面図であり、第１移動部材が全離間モード位置にある状態を示す。
【図８】図８は、現像側ギヤトレインおよび第１移動部材を説明するためのドラムユニットの左側面図であり、第１移動部材がカラーモード位置にある状態を示す。
【図９】図９は、現像側ギヤトレインおよび第１移動部材を説明するためのドラムユニットの右側面図であり、第１移動部材がカラーモード位置にある状態を示す。
【発明を実施するための形態】
【００３４】
以下では、本発明の実施形態について、添付図面を参照しながら詳細に説明する。
１．カラープリンタの構成
図１に示されるように、画像形成装置の一例としてのカラープリンタ１は、タンデム型のカラープリンタである。カラープリンタ１は、本体ケーシング２を備えている。本体ケーシング２内には、ドラムユニット３が装着されている。本体ケーシング２の前面には、フロントカバー４が開閉可能に設けられている。そして、ドラムユニット３は、フロントカバー４を開けた状態で、本体ケーシング２内に収容された収容位置と本体ケーシング２外に引き出された引出位置との間で水平方向に移動させることができる。
【００３５】
なお、以下の説明において、フロントカバー４が設けられている側（図１における左側）をカラープリンタ１の前側（正面側）とし、その反対側（図１における右側）を後側（背面側）とする。また、カラープリンタ１を前側から見たときを左右の基準とする。すなわち、図１の紙面手前側が右側であり、紙面奥側が左側である。
【００３６】
ドラムユニット３には、４つの感光ドラム５がそれぞれ左右方向に延びる回転軸線を中心に回転可能に保持されている。４つの感光ドラム５は、ブラック、イエロー、マゼンタおよびシアンの各色に対応して、後側から前側に向かって順次等間隔で並列に配置されている。
【００３７】
また、ドラムユニット３には、４つのスコロトロン型帯電器６が保持されている。４つのスコロトロン型帯電器６は、それぞれ感光ドラム５に対応して設けられ、その対応する感光ドラム５の後上方に配置されている。
【００３８】
さらに、ドラムユニット３には、４つの現像カートリッジ７が備えられている。各現像カートリッジ７は、ドラムユニット３に対して着脱可能に装着され、現像フレーム８と、現像フレーム８に収容される現像ローラ９および供給ローラ１６とを備えている。
【００３９】
本体ケーシング２内において、ドラムユニット３の上方には、各色に対応した４本のレーザビームを出射する露光器１０が配置されている。
【００４０】
感光ドラム５の回転に伴って、感光ドラム５の表面は、帯電器６からの放電によって一様に帯電された後、露光器１０からのレーザビームにより選択的に露光される。この露光によって、感光ドラム５の表面から電荷が選択的に除去され、感光ドラム５の表面に静電潜像が形成される。
【００４１】
一方、現像フレーム８内には、各色に対応したトナーが収容されている。現像フレーム８内のトナーは、供給ローラ１６の回転により、現像ローラ９の表面に供給され担持される。そして、静電潜像が現像ローラ９に対向すると、現像ローラ９から静電潜像にトナーが供給される。これによって、感光ドラム５の表面にトナー像が形成される。
【００４２】
なお、露光器１０に代えて、４つのＬＥＤアレイが各感光ドラム５に対応して設けられてもよい。
【００４３】
本体ケーシング２の底部には、用紙Ｐを収容する給紙カセット１１が配置されている。給紙カセット１１に収容されている用紙Ｐは、各種ローラにより、搬送ベルト１２上に搬送される。搬送ベルト１２は、４つの感光ドラム５に下方から対向して配置されている。感光ドラム５に対して搬送ベルト１２の上側部分を挟んで対向する各位置には、転写ローラ１３が配置されている。搬送ベルト１２上に搬送された用紙Ｐは、搬送ベルト１２の走行により、搬送ベルト１２と各感光ドラム５との間を順次通過する。そして、感光ドラム５の表面上のトナー像は、用紙Ｐと対向したときに、用紙Ｐに転写される。
【００４４】
搬送ベルト１２に対して用紙Ｐの搬送方向における下流側には、定着器１４が設けられている。トナー像が転写された用紙Ｐは、定着器１４に搬送される。定着器１４では、加熱および加圧により、トナー像が用紙Ｐに定着される。トナー像が定着した用紙Ｐは、各種ローラにより、本体ケーシング２の上面の排紙トレイ１５に排出される。
２．ドラムユニット
ドラムユニット３は、４つの感光ドラム５、４つのスコロトロン型帯電器６および４つの現像カートリッジ７を一括して保持している。
【００４５】
なお、ドラムユニット３は、これらの部材を保持する矩形枠形状のフレームを有しているが、以下の各図においては、図面の複雑化を回避するために、ドラムユニット３のフレーム、およびスコロトロン型帯電器６の図示を省略している。
（１）感光ドラム
図２に示されるように、感光ドラム５は、左右方向に延びる円筒形状に形成され、前後方向に互いに間隔を隔てて並列に配置されている。
【００４６】
そして、４つの感光ドラム５のうち、最も後側の感光ドラム５は、黒色のトナー像を担持する第１感光ドラム５Ｍであり、その他の３つの感光ドラム５は、後側から順次イエロー、マゼンタ、シアンの各色に対応したトナー像を担持する第２感光ドラム５Ｃである。
【００４７】
また、各感光ドラム５の右端部には、感光ドラム５を回転駆動するための駆動力が入力されるドラムギヤ（図示せず）が設けられている。
（２）現像カートリッジ
現像カートリッジ７は、ボックス形状の現像フレーム８を備えている。現像フレーム８には、後側下方に開放される開口２１が形成されている。
【００４８】
また、現像カートリッジ７は、後述する出力ギヤ２６から駆動を受けるカップリング部（図示せず）が設けられている。カップリング部には、ギヤ歯が形成されており、そのギヤ歯が後述する現像ローラギヤ（図示せず）と噛合している。
【００４９】
現像ローラ９は、左右方向に延びる中心軸線を有する円柱状のローラ本体２２と、ローラ本体２２にその中心軸線に沿って挿通される現像ローラ軸２３とを備えている。
【００５０】
ローラ本体２２は、現像フレーム８の開口２１を介して、感光ドラム５に対して前側上方から対向している。
【００５１】
現像ローラ軸２３の左右方向両端部は、現像フレーム８の側壁（図示せず）を貫通して、現像フレーム８よりも左右方向外側に突出している。
【００５２】
また、現像ローラ軸２３の左端部には、現像ローラギヤ（図示せず）が相対回転不能に取り付けられている。
【００５３】
各現像ローラ９は、後述するが、ローラ本体２２が対応する感光ドラム５に接触する接触位置と、ローラ本体２２が対応する感光ドラム５から離間する離間位置とに変位可能に設けられている。
【００５４】
そして、４つの現像ローラ９のうち、最も後側の現像ローラ９は、第１感光ドラム５Ｍに対向する第１現像ローラ９Ｍであり、その他の３つの現像ローラ９は、第２感光ドラム５Ｃにそれぞれ対向する第２現像ローラ９Ｃである。
【００５５】
供給ローラ１６は、図１に示すように、左右方向に延びる中心軸線を有する円柱状のローラ本体１７と、ローラ本体１７にその中心軸線に沿って挿通される供給ローラ軸（図示せず）とを備えている。
【００５６】
ローラ本体１７は、現像フレーム８内において、現像ローラ９のローラ本体２２に対して前側上方から接触している。
【００５７】
供給ローラ軸の左端部には、供給ローラギヤ（図示せず）が相対回転不能に取り付けられている。
（３）現像側ギヤトレイン
図３および図４に示されるように、本体ケーシング２内には、各現像カートリッジ７の左方において、現像ローラ９を回転駆動するための現像側ギヤトレイン２５が設けられている。現像側ギヤトレイン２５は、４つの出力ギヤ２６、２つの第１中間ギヤ２７、第１伝達ギヤ２８、第２伝達ギヤ２９、第３伝達ギヤ３０、第２中間ギヤ３１、太陽ギヤ３２および第１駆動伝達部の一例としての遊星ギヤ３３を備えている。
【００５８】
出力ギヤ２６は、左側面視において、現像ローラ９の後側上方の位置に配置され、左右方向に延びる回転軸線を中心に回転可能に設けられている。出力ギヤ２６は、後述するように、対応する現像カートリッジ７の現像ローラ９が感光ドラム５に接触する接触位置、および対応する現像カートリッジ７の現像ローラ９が感光ドラム５から離間する離間位置に配置されたときに、各現像カートリッジ７のカップリング部（図示せず）と連結されている。これにより、出力ギヤ２６が回転駆動されると、現像ローラ９および供給ローラ１６が回転される。
【００５９】
各第１中間ギヤ２７は、第２現像ローラ９Ｃを同期して回転させるために設けられ、前側３つの出力ギヤ２６間に配置されている。そして、各第１中間ギヤ２７は、その前側および後側に隣接する２つの出力ギヤ２６に噛合している。
【００６０】
なお、以下の説明では、第１現像ローラ９Ｍが備えられる現像カートリッジ７に対応する出力ギヤ２６を第１出力ギヤ２６Ｍとし、第２現像ローラ９Ｃが備えられる現像カートリッジ７に対応する出力ギヤ２６を第２出力ギヤ２６Ｃとする。そして、以後の説明において、単に第２出力ギヤ２６Ｃと記載する場合は、最も後側の第２出力ギヤ２６Ｃ（４つの出力ギヤ２６のうち、後側から２番目の出力ギヤ２６）を指すものとする。
【００６１】
第１伝達ギヤ２８は、第１出力ギヤ２６Ｍの下方に配置されている。
【００６２】
第２伝達ギヤ２９は、第１出力ギヤ２６Ｍの前方に配置されている。そして、第２伝達ギヤ２９は、第１出力ギヤ２６Ｍに対して前側から噛合している。
【００６３】
第３伝達ギヤ３０は、第２出力ギヤ２６Ｃの後方に配置されている。そして、第３伝達ギヤ３０は、第２出力ギヤ２６Ｃに対して後側から噛合している。
【００６４】
第２中間ギヤ３１は、第１出力ギヤ２６Ｍの前側下方に配置されている。そして、第２中間ギヤ３１は、第１伝達ギヤ２８および第２伝達ギヤ２９の両方に噛合している。
【００６５】
太陽ギヤ３２は、第１出力ギヤ２６Ｍとその前側の第２出力ギヤ２６Ｃとの中間の位置において、現像側ギヤトレイン２５の下方に配置されている。太陽ギヤ３２の太陽ギヤ軸３６には、本体ケーシング２内に設けられた駆動源の一例としてのモータ３５（図４参照）からの駆動力が入力される。モータ３５は、所定の一方向にのみ回転可能に構成されている。
【００６６】
なお、モータ３５は、太陽ギヤ軸３６を直接的に駆動してもよいし、太陽ギヤ３２に他のアイドルギヤを噛合させ、そのアイドルギヤを介して太陽ギヤ３２を駆動する構成であってもよい。
【００６７】
また、太陽ギヤ３２の太陽ギヤ軸３６には、連動部材３８（変位部材）が相対回転可能に支持されている。
【００６８】
連動部材３８は、側面視Ｌ字状に形成され、その角部（Ｌ字の屈曲部分）４０に太陽ギヤ軸３６が挿通されている。連動部材３８の一方側の遊端部は、遊星ギヤ３３の遊星ギヤ軸３７に相対回転可能に連結されている。これにより、遊星ギヤ３３は、太陽ギヤ３２との噛合を維持したまま、遊星ギヤ軸３７周りに回転（自転）可能であり、かつ、太陽ギヤ３２周りに回動（公転）可能に設けられている。
【００６９】
また、連動部材３８の他方側の遊端部には、左右方向内側に突出する円柱形状の係合部３９が形成されている。係合部３９は、後述する第１移動部材４２の係合孔４７内に挿入されている。
【００７０】
そして、遊星ギヤ３３は、太陽ギヤ３２の後側上方の位置に配置され、第１伝達ギヤ２８に噛合する第１位置（図４参照）と、太陽ギヤ３２のほぼ直上の位置に配置され、第２伝達ギヤ２９および第３伝達ギヤ３０の両方に噛合する第２位置（図８参照）と、遊星ギヤ３２の回動（公転）方向において第１位置と第２位置との中間に配置され、第１伝達ギヤ２８、第２伝達ギヤ２９および第３伝達ギヤ３０のいずれにも噛合しない第３位置（図６参照）とに移動可能に設けられている。
【００７１】
遊星ギヤ３３が第１位置にあるとき、図４に示すように、太陽ギヤ３２は、遊星ギヤ３３、第１伝達ギヤ２８、第２中間ギヤ３１および第２伝達ギヤ２９を介して、第１出力ギヤ２６Ｍに連結される。これにより、モータ３５からの駆動力が第１出力ギヤ２６Ｍに伝達され、第１現像ローラ９Ｍが回転される。
【００７２】
すなわち、第１伝達ギヤ２８、第２中間ギヤ３１および第２伝達ギヤ２９は、遊星ギヤ３３が第１位置にあるときに、モータ３５からの駆動力を第１現像ローラ９Ｍに伝達する第２駆動伝達部を構成する。
【００７３】
また、遊星ギヤ３３が第２位置にあるとき、図８に示すように、太陽ギヤ３２は、遊星ギヤ３３および第２伝達ギヤ２９を介して、第１出力ギヤ２６Ｍに連結される。これにより、モータ３５からの駆動力が第１出力ギヤ２６Ｍに伝達され、第１現像ローラ９Ｍが回転される。
【００７４】
すなわち、第２伝達ギヤ２９は、遊星ギヤ３３が第２位置にあるときに、モータ３５からの駆動力を第１現像ローラ９Ｍに伝達する第３駆動伝達部を構成する。
【００７５】
また、遊星ギヤ３３が第２位置にあるとき、太陽ギヤ３２は、遊星ギヤ３３および第３伝達ギヤ３０を介して、第２出力ギヤ２６Ｃに連結される。そして、３つの第２出力ギヤ２６Ｃは、２つの第１中間ギヤ２７に連結されている。これにより、モータからの駆動力が３つの第２出力ギヤ２６Ｃに伝達され、３つの第２現像ローラ９Ｃが回転される。
【００７６】
すなわち、第３伝達ギヤ３０は、遊星ギヤ３３が第２位置にあるときに、モータ３５からの駆動力を第２現像ローラ９Ｃに伝達する第４駆動伝達部を構成する。
３．現像離間機構
図３に示されるように、ドラムユニット３内には、現像離間機構４１が設けられている。現像離間機構４１は、移動部材の一例としての第１移動部材４２と、移動部材の一例としての第２移動部材４３と、連結部材４４と、８つの離間部材４５とを備えている。
（１）第１移動部材
第１移動部材４２は、ドラムユニット３の左方において、現像側ギヤトレイン２５の右側に配置されている。第１移動部材４２は、前後方向に延びる杆状の本体部４２ａと、本体部４２ａの前端部から下方に突出する側面視矩形状の突出部４２ｂとを一体的に備えている。そして、第１移動部材４２は、前後方向に沿ってスライド移動可能に本体ケーシング２に支持されている。
【００７７】
本体部４２ａの上端部には、４つのカム４６が左右方向内側に突出して形成されている。そして、４つのカム４６は、前後方向に沿って互いに間隔を隔てて配置されている。
【００７８】
また、４つのカム４６のうち、最も後側のカム４６は、前後方向に延びる下面４６ａと、下面４６ａの前端部から前方に向かうに従って、上方に傾斜する傾斜面４６ｂと、下面４６ａの後端部から後方に向かうに従って、上方に傾斜する傾斜面４６ｃ（図５、図９参照）とを有する側面視略台形状に形成されている。
【００７９】
一方、他の３つのカム４６は、前後方向に延びる下面４６ａと、下面４６ａの前端部から前方に向かうに従って、上方に傾斜する傾斜面４６ｂとを有する側面視略矩形状に形成されている。
【００８０】
また、最も後側のカム４６は、他の３つのカム４６よりも前後方向に小さいサイズに形成されている。
【００８１】
また、本体部４２ａの前端部の下面には、ラックギヤ（図示せず）が形成されている。
【００８２】
突出部４２ｂには、係合孔４７が突出部４２ｂを左右方向に貫通して形成されている。係合孔４７は、側面視２段クランク形状に形成され、突出部４２ｂの後側下端部に形成された下段部４８と、突出部４２ｂの前側上端部に形成された上段部４９と、前後方向に延び、下段部４８および上段部４９の間において、それらに対して段差が形成されるように連通される中段部５０とを備えている。
【００８３】
係合孔４７の下段部４８、上段部４９および中段部５０は、それぞれ連動部材３８の係合部３９を受入可能な上下方向および前後方向の幅を有している。
【００８４】
そして、係合孔４７内には、常には、連動部材３８の係合部３９が挿入されている。したがって、係合部３９は、係合孔４７内において、下段部４８、中段部５０および上段部４９間を移動可能であり、それらのうち、いずれかに配置されている。
【００８５】
また、係合孔４７の後側面は、連動部材３８の係合部３９が下段部４８に配置された状態で、係合部３９に対して後側から当接する規制部５１として区画されている。これにより、下段部４８に配置された係合部３９のそれ以上の後側への移動が規制される。
（２）第２移動部材
第２移動部材４３は、ドラムユニット３の右方に配置されている。第２移動部材４３は、前後方向に延びる杆状の本体部４３ａを備えている。そして、第２移動部材４３は、前後方向に沿ってスライド移動可能に本体ケーシング２に支持されている。
【００８６】
本体部４３ａの上端部には、４つのカム４６が左右方向内側に突出して形成されている。そして、４つのカム４６は、前後方向に沿って互いに間隔を隔てて配置されている。
【００８７】
また、４つのカム４６のうち、最も後側のカム４６は、前後方向に延びる下面４６ａと、下面４６ａの前端部から前方に向かうに従って、上方に傾斜する傾斜面４６ｂと、下面４６ａの後端部から後方に向かうに従って、上方に傾斜する傾斜面４６ｃ（図５、図９参照）とを有する側面視略台形状に形成されている。
【００８８】
一方、他の３つのカム４６は、前後方向に延びる下面４６ａと、下面４６ａの前端部から前方に向かうに従って、上方に傾斜する傾斜面４６ｂとを有する側面視略矩形状に形成されている。
【００８９】
そして、４つのカム４６は、第１移動部材４２の４つのカム４６に左右方向に対向するように、前後方向に沿って互いに間隔を隔てて配置されている。
【００９０】
また、最も後側のカム４６は、他の３つのカム４６よりも前後方向に小さいサイズに形成されている。
【００９１】
また、本体部４３ａの前端部の下面には、ラックギヤ（図示せず）が形成されている。
（３）連結部材
連結部材４４は、２つの連結ギヤ５５と、各連結ギヤ５５を連結する連結軸５６とを備えている。
【００９２】
連結ギヤ５５は、第１移動部材４２および第２移動部材４３のラックギヤ（図示せず）に噛合するピニオンギヤとして形成されている。
【００９３】
連結軸５６は、各連結ギヤ５５の中心軸線に相対回転不能に挿入されている。
【００９４】
これにより、一方の連結ギヤ５５が回転すると、連結軸５６を介して、他方の連結ギヤ５５が一方の連結ギヤ５５と同一方向に回転する。
（４）離間部材
離間部材４５は、第１移動部材４２および第２移動部材４３の各カム４６に対応して設けられている。離間部材４５は、離間本体部６１および作用部６２を一体的に備えている。
【００９５】
離間本体部６１は、左右方向外側に突出する円柱形状の支持軸６３および連動軸６４を備え、相対的に上側の支持軸６３側から相対的に下側の連動軸６４側に向かうに従って幅狭となる長手板状に形成されている。
【００９６】
支持軸６３は、本体ケーシング２に相対回転可能に支持されている。
【００９７】
連動軸６４は、第１移動部材４２および第２移動部材４３のカム４６に対向している。
【００９８】
作用部６２は、本体部６１における支持軸６３が設けられた長手方向一端部から、その長手方向に沿って延び、先端部が後側に屈曲した側面視鉤形状に形成されている。そして、作用部６２の前端面は、各現像ローラ９の現像ローラ軸２３に対して後側下方から対向する作用面６５をなしている。
【００９９】
そして、離間部材４５は、常には、図示しない付勢部材（ばね）により、支持軸６３を中心として、後方に向けて付勢されている。
（４）第１移動部材および第２移動部材のスライド移動
本体ケーシング２内には、図示しないステッピングモータが備えられている。ステッピングモータは、第１移動部材４２または第２移動部材４３のいずれか一方のラックギヤ（図示せず）に連結されている。これにより、ステッピングモータの駆動力が第１移動部材４２または第２移動部材４３に伝達され、第１移動部材４２または第２移動部材４３が前後方向にスライド移動する。
【０１００】
そして、第１移動部材４２と第２移動部材４３とは、連結部材４４を介して連結されているので、第１移動部材４２または第２移動部材４３のいずれか一方に入力された駆動力は、他方の第２移動部材４３または第１移動部材４２にも伝達される。これにより、第１移動部材４２および第２移動部材４３は、ステッピングモータの駆動により、後述するモノクロモード位置、全離間モード位置およびカラーモード位置の間を、同期してスライド移動可能である。
４．感光ドラムの駆動機構
図４に示されるように、本体ケーシング２内には、各感光ドラム５に駆動力を伝達するためのドラム側ギヤトレイン５２が備えられている。ドラム側ギヤトレイン５２は、各感光ドラム５に設けられたドラムギヤ（図示せず）に噛合する４つの出力ギヤ（図示せず）と、各出力ギヤを同期して回転させるための中間ギヤ（図示せず）とを備えている。そして、ドラム側ギヤトレイン５２には、モータ３５からの駆動力が入力される。
【０１０１】
これにより、モータ３５が回転駆動すると、その駆動力がドラム側ギヤトレイン５２を介して、各感光ドラム５に伝達される。すなわち、モータ３５は、各現像ローラ９および各感光ドラム５を回転させるために兼用可能である。
５．画像形成モード切替動作
このカラープリンタ１では、モノクロモード、カラーモードおよび全離間モードの３つのモードに切り替えることができる。なお、第１移動部材４２および第２移動部材４３は、連結部材４４を介して同期して移動する。そのため、以下の説明では、第１移動部材４２の動作のみ取り挙げて説明する。
（１）モノクロモード
図４および図５に示されるように、カラープリンタ１がモノクロモードのときは、第１移動部材４２は、最も前側のモノクロモード位置に配置される。
【０１０２】
このとき、連動部材３８の係合部３９は、第１移動部材４２の係合孔４７内の下段部４８に配置されている（第１変位位置）。
【０１０３】
また、連動部材３８に連結された遊星ギヤ３３は、第１伝達ギヤ２８に噛合する第１位置に配置されている。
【０１０４】
また、前側３つの離間部材４５は、連動軸６４が対応するカム４６の下面４６ａに乗り上げ、付勢部材（図示せず）の付勢力に抗して、略上下方向に沿う起立姿勢をなす。このとき、作用部６２の作用面６５は、現像ローラ軸２３に対して後側下方から当接し、現像ローラ軸２３を前側上方に向けて押圧する。これにより、前側３つの第２現像ローラ９Ｃが全体的に前側上方に持ち上げられ、対応する第２感光ドラム５Ｃから離間する第１離間位置に配置される。
【０１０５】
一方、最も後側の離間部材４５は、連動軸６４が対応するカム４６の後側に離間し、付勢部材（図示せず）の付勢力により、上下方向に対して傾倒した傾倒姿勢をなす。このとき、作用部６２の作用面６５は、現像ローラ軸２３に対して間隔を隔てて対向している。これにより、最も後側の第１現像ローラ９Ｍは、自重により、対応する第１感光ドラム５Ｍに接触する第２接触位置に配置される。
【０１０６】
カラープリンタ１がモノクロモードのときに、モータ３５が駆動されると、モータ３５に連結された太陽ギヤ３２が左側面視における時計回り方向に回転する。これにより、太陽ギヤ３２に噛合している遊星ギヤ３３が太陽ギヤ３２と逆方向（左側面視における反時計回り方向）に回転する。そして、遊星ギヤ３３が第１伝達ギヤ２８に噛合しているので、遊星ギヤ３３の回転により、第１伝達ギヤ２８、第２中間ギヤ３１、第２伝達ギヤ２９を介して、第１出力ギヤ２６Ｍが太陽ギヤ３２と逆方向（左側面視における反時計回り方向）に回転する。
【０１０７】
一方、遊星ギヤ３３が第３伝達ギヤ２９に噛合しないので、第２出力ギヤ２６Ｃには、モータ３５からの駆動力が伝達されない。
【０１０８】
その結果、第１現像ローラ９Ｍのみにモータ３５からの駆動力が伝達され、モノクロ印刷を達成することができる。
（２）全離間モード
カラープリンタ１をモノクロモードから全離間モードに移行するには、第１移動部材４２および第２移動部材４３を後方へ移動させ、モノクロモード位置よりも後側の全離間モード位置に配置する。
【０１０９】
図６および図７に示されるように、カラープリンタ１が全離間モードに移行されると、第１移動部材４２の移動により、第１移動部材４２の係合孔４７内において、連動部材３８の係合部３９が相対的に前方に移動する。これにより、係合部３９が下段部４８から中段部５０に乗り上げ、わずかに上方に移動する。
【０１１０】
そして、係合部３９の上方への移動に伴なって、連動部材３８は、角部４０を中心として、遊星ギヤ３３に連結された一端部が前側上方に向けて移動する方向に回動する。これにより、遊星ギヤ３３と第１伝達ギヤ２８との噛合が解除され、遊星ギヤ３３が太陽ギヤ３２以外のいずれのギヤにも噛合しない第３位置に配置される。
【０１１１】
また、第１移動部材４２の後方への移動に伴なって、前側３つの離間部材４５の連動軸６４は、対応するカム４６の下面４６ａにおける前端部に配置される。したがって、前側３つの第２現像ローラ９Ｃは、対応する第２感光ドラム５Ｃから離間する第１離間位置に配置された状態を維持する。
【０１１２】
一方、最も後側の離間部材４５は、連動軸６４が対応するカム４６の下面４６ａに乗り上げ、付勢部材（図示せず）の付勢力に抗して、略上下方向に沿う起立姿勢をなす。このとき、作用部６２の作用面６５は、現像ローラ軸２３に対して後側下方から当接し、現像ローラ軸２３を前側上方に向けて押圧する。これにより、最も後側の第１現像ローラ９Ｍが全体的に前側上方に持ち上げられ、対応する第１感光ドラム５Ｍから離間する第２離間位置に配置される。
【０１１３】
遊星ギヤ３３と第１伝達ギヤ２８との噛合が解除されているので、全離間モードでは、モータ３５の駆動にかかわらず、すべての現像ローラ９が回転しない。また、第１現像ローラ９Ｍが対応する第１感光ドラム５Ｍから離間し、第２現像ローラ９Ｃが対応する第２感光ドラム５Ｃから離間しているため、現像ローラ９と感光ドラム５との摩擦を防止できる。
（３）カラーモード
カラープリンタ１を全離間モードからカラーモードに移行するには、第１移動部材４２および第２移動部材４３をさらに後方へ移動させ、最も後側のカラーモード位置に配置する。
【０１１４】
図８および図９に示されるように、カラープリンタ１がカラーモードに移行されると、第１移動部材４２の移動により、第１移動部材４２の係合孔４７内において、連動部材３８の係合部３９が相対的に前方に移動する。これにより、係合部３９が中段部５０から上段部４９に乗り上げ、わずかに上方に移動する。
【０１１５】
そして、係合部３９の上方への移動に伴なって、連動部材３８は、角部４０を中心として、遊星ギヤ３３に連結された一端部が前側上方に向けて移動する方向に回動する（第２変位位置）。これにより、遊星ギヤ３３は、第２伝達ギヤ２９および第３伝達ギヤ３０の両方に噛合する第２位置に配置される。
【０１１６】
また、第１移動部材４２の後方への移動に伴なって、前側３つの離間部材４５の連動軸６４は、対応するカム４６の下面４６ａから前方に離間した位置に配置される。これにより、離間部材４５は、付勢部材（図示せず）の付勢力により、その作用部６２が後側に傾倒した傾倒姿勢をなす。このとき、作用部６２の作用面６５は、現像ローラ軸２３に対して間隔を隔てて対向している。これにより、前側３つの第２現像ローラ９Ｃは、自重により、対応する第２感光ドラム５Ｃに接触する第１接触位置に配置される。
【０１１７】
一方、最も後側の離間部材４５は、連動軸６４が対応するカム４６の下面４６ａから前方に離間した位置に配置される。これにより、離間部材４５は、付勢部材（図示せず）の付勢力により、その作用部６２が後側に傾倒した傾倒姿勢をなす。このとき、作用部６２の作用面６５は、現像ローラ軸２３に対して間隔を隔てて対向している。これにより、最も後側の第１現像ローラ９Ｍは、自重により、対応する第１感光ドラム５Ｍに接触する第２接触位置に配置される。
【０１１８】
カラープリンタ１がカラーモードのときに、モータ３５が駆動されると、モータ３５に連結された太陽ギヤ３２が左側面視における時計回り方向に回転する。これにより、太陽ギヤ３２に噛合している遊星ギヤ３３が太陽ギヤ３２と逆方向（左側面視における反時計回り方向）に回転する。
【０１１９】
そして、遊星ギヤ３３が第２伝達ギヤ２９に噛合しているので、遊星ギヤ３３の回転により、第２伝達ギヤ２９を介して、第１出力ギヤ２６Ｍが太陽ギヤ３２と逆方向（左側面視における反時計回り方向）に回転する。その結果、第１現像ローラ９Ｍにモータ３５からの駆動力が伝達される。
【０１２０】
一方、遊星ギヤ３３が第３伝達ギヤ３０に噛合しているので、遊星ギヤ３３の回転により、第３伝達ギヤ３０および第１中間ギヤ２７を介して、第２出力ギヤ２６Ｃが太陽ギヤ３２と逆方向（つまり、第１出力ギヤ２６Ｍと同一方向）に回転する。その結果、前側３つの第２現像ローラ９Ｃにモータ３５からの駆動力が伝達され、カラー印刷を達成することができる。
（４）カラーモードからの画像形成モードの移行
カラープリンタ１は、カラーモードから全離間モードを介して、モノクロモードへ移行させることもできる。このような画像形成モードの移行は、上記した手順と逆の手順により実行することができる。
６．作用効果
（１）このカラープリンタ１によれば、第１移動部材４２および第２移動部材４３がモノクロモード位置に移動すると、遊星ギヤ３３が第１位置に変位され、モータ３５からの駆動力が第１現像ローラ９Ｍのみに伝達される。そして、駆動力が伝達された第１現像ローラ９Ｍが第１感光ドラム５Ｍに接触される一方、第２現像ローラ９Ｃが第２感光ドラム５Ｃから離間する第１離間位置に配置される。
【０１２１】
一方、第１移動部材４２および第２移動部材４３がカラーモード位置に移動すると、遊星ギヤ３３が第２位置に変位され、モータ３５からの駆動力が第１現像ローラ９Ｍおよび第２現像ローラ９Ｃに伝達される。そして、第１現像ローラ９Ｍが第１感光ドラム５Ｍに接触し、第２現像ローラ９Ｃが第２感光ドラム５Ｃに接触する第１接触位置に配置される。
【０１２２】
つまり、モータ３５を所定の一方向に回転させたまま、第１移動部材４２および第２移動部材４３をモノクロモード位置とカラーモード位置との間で移動させれば、遊星ギヤ３３を第１位置と第２位置とに移動させることにより、第１現像ローラ９Ｍのみに駆動力を伝達するか、または、第１現像ローラ９Ｍおよび第２現像ローラ９Ｃの両方に駆動力を伝達することができる。
【０１２３】
よって、モータ３５を正逆回転させる必要がないので、第１現像ローラ９Ｍおよび第２現像ローラ９Ｃを駆動するためのモータ３５を、感光ドラム５を駆動するためのドラム側ギヤトレイン５２に連結して、感光ドラム５を駆動することができる。すなわち、モータ３５は、第１現像ローラ９Ｍおよび第２現像ローラ９Ｃの駆動と、感光ドラム５の駆動とに兼用することができる。
【０１２４】
（２）また、第１移動部材４２および第２移動部材４３が感光ドラム５（第１感光ドラム５Ｍおよび第２感光ドラム５Ｃ）の並び方向（前後方向）に沿って直線移動可能に設けられているので、簡易な構成で第１移動部材４２および第２移動部材４３をモノクロモード位置とカラーモード位置との間で確実に移動させることができる。
【０１２５】
（３）また、遊星ギヤ３３が第１位置にあるときに、第２駆動伝達部（第１伝達ギヤ２８、第２中間ギヤ３１および第２伝達ギヤ２９）に遊星ギヤ３３が連結されると、第２駆動伝達部および遊星ギヤ３３を介して、モータ３５からの駆動力を第１現像ローラ９Ｍに確実に伝達することができる。また、遊星ギヤ３３が第２位置にあるときに、第３駆動伝達部（第２伝達ギヤ２９）および第４駆動伝達部（第３伝達ギヤ３０）に遊星ギヤ３３が連結されると、遊星ギヤ３３、第３駆動伝達部および第４駆動伝達部を介して、モータ３５からの駆動力を第１現像ローラ９Ｍおよび第２現像ローラ９Ｃに確実に伝達することができる。
【０１２６】
（４）また、遊星ギヤ３３が第４駆動伝達部に対してその移動方向の上流側（後側）から連結するので、遊星ギヤ３３と第４駆動伝達部とを確実に連結させることができる。
【０１２７】
（５）また、第１移動部材４２は、遊星ギヤ３３が第１位置にあるときに、遊星ギヤ３３の前方への移動を規制する規制部５１を備えている。これにより、遊星ギヤ３３が第１位置にある状態を維持することができるので、遊星ギヤ３３が第１位置にあるときに、第２駆動伝達部と遊星ギヤ３３とを確実に連結させることができる。
【０１２８】
（６）また、第１移動部材４２および第２移動部材４３は、第１現像ローラ９Ｍを第２離間位置に配置するとともに、第２現像ローラ９Ｃを第１離間位置に配置する全離間モード位置に移動可能である。そして、遊星ギヤ３３は、第１移動部材４２および第２移動部材４３が全離間モード位置にあるときに、第１位置と第２位置との間の第３位置に配置される。これにより、第１移動部材４２および第２移動部材４３を全離間モード位置に移動させて、第１現像ローラ９Ｍおよび第２現像ローラ９Ｃを対応する第１感光ドラム５Ｍおよび第２感光ドラム５Ｃから離間させることができる。
【０１２９】
（７）また、第１移動部材４２および遊星ギヤ３３は、第１現像ローラ９Ｍおよび第２現像ローラ９Ｃの左側に設けられているので、第１移動部材４２により、第１現像ローラ９Ｍ、第２現像ローラ９Ｃおよび遊星ギヤ３３を移動させることができる。そして、第２移動部材４３は、第１現像ローラ９Ｍおよび第２現像ローラ９Ｃの右側に設けられているので、第２移動部材４３により、第１現像ローラ９Ｍおよび第２現像ローラ９Ｃを変位させることができる。さらに、第１移動部材４２および第２移動部材４３は、連結部材４４介して同期して移動されるので、第１現像ローラ９Ｍを第２接触位置と第２離間位置との間で安定して変位させることができるとともに、第２現像ローラ９Ｃを第１接触位置と第１離間位置との間で安定して変位させることができる。
７．変形例
以上、本発明の一実施形態について説明したが、本発明は、他の形態で実施することもできる。
【０１３０】
たとえば、上記の実施形態において、モータ３５が、第１現像ローラ９Ｍおよび第２現像ローラ９Ｃを駆動するための現像側ギヤトレイン２５と、各感光ドラム５を駆動するためのドラム側ギヤトレイン５２とに兼用される構成を例示したが、モータ３５は、さらに他の部材を駆動するために兼用されてもよい。
【０１３１】
たとえば、モータ３５が、図１に示される搬送ベルト１２に駆動力を伝達するように構成されていてもよいし、用紙Ｐの給紙および排紙を実施する各種ローラに駆動力を伝達するように構成されていてもよい。
【０１３２】
その他、カラープリンタ１内に設けられ、所定の一方向にのみ回転される各種部材に、モータ３５の駆動力が伝達される構成を採用することが可能である。
【符号の説明】
【０１３３】
１      カラープリンタ
２      本体ケーシング
５      感光ドラム
５Ｍ    第１感光ドラム
５Ｃ    第２感光ドラム
９      現像ローラ
９Ｍ    第１現像ローラ
９Ｃ    第２現像ローラ
２８    第１伝達ギヤ
２９    第２伝達ギヤ
３０    第３伝達ギヤ
３２    太陽ギヤ
３３    遊星ギヤ
３５    モータ
４０    規制部
４２    第１移動部材
４３    第２移動部材
【図１】
0005919655.tif 000002
【図２】
0005919655.tif 000003
【図３】
0005919655.tif 000004
【図４】
0005919655.tif 000005
【図５】
0005919655.tif 000006
【図６】
0005919655.tif 000007
【図７】
0005919655.tif 000008
【図８】
0005919655.tif 000009
【図９】
0005919655.tif 000010